(57)【要約】  【課題】  光ディスクのデータを短時間で消去できるようにすることにより追記可能な光ディスクを短時間で作成できる光ディスク記録再生装置を提供する。  【解決手段】  データ領域消去手段２２１はＤＶＤ−ＲＷの光ディスク１に対してミニマリー・ブランク消去方法で消去を行い、フル・ブランク状態設定手段２２２は、消去を行う領域に新たに一定のデータ領域を加えて消去し、記録管理領域に当該光ディスク１がフル・ブランク消去方法によるフル・ブランク状態を示す状態データを設定する。ブランク状態判定手段２２３は、記録管理領域の状態データに基づいてフル・ブランク消去方法によるフル・ブランク状態であるか、ミニマリー・ブランク消去方法によるミニマリー・ブランク状態であるかを判定する。記録可能手段２２４は、前記判定結果がフル・ブランク状態であることを示す場合にインクリメンタル・レコーディング方式による記録を可能にする。【選択図】      図１
2005122849.tif 000002
【特許請求の範囲】
【請求項１】
光ディスクに対して情報を記録したり再生したりする光ディスク記録再生装置において
、ＤＶＤ−ＲＷの光ディスクに対して必要最小限の領域のみを消去するミニマリー・ブラ
ンク消去方法で消去を行う領域に、新たに一定のデータ領域を加えて消去するデータ領域
消去手段と、記録管理領域に当該光ディスクの全領域を消去するフル・ブランク消去方法
によるフル・ブランク状態を示すフル・ブランク状態データを設定するフル・ブランク状
態設定手段と、前記記録管理領域の状態データに基づいて当該光ディスクのディスク状態
が前記フル・ブランク消去方法によるフル・ブランク状態であるか、前記ミニマリー・ブ
ランク消去方法によるミニマリー・ブランク状態であるかを判定するブランク状態判定手
段と、このブランク状態判定手段がフル・ブランク状態であると判定した場合に、追記可
能なインクリメンタル・レコーディング方式による記録を可能にする記録可能手段とを有
するシステムコントローラを備えたことを特徴とする光ディスク記録再生装置。
【請求項２】
光ディスクに対して情報を記録したり再生したりする光ディスク記録再生装置において
、光ディスクに対して必要最小限の領域のみを消去する必要最小限消去方法で消去を行う
領域に、新たに一定のデータ領域を加えて消去し、記録管理領域に当該光ディスクの全領
域を消去する全領域消去方法によるディスク状態を示す状態データを設定し、前記状態デ
ータに基づいて前記全領域消去方法によるディスク状態であると判定した場合に追記可能
な記録方式による記録を可能にするシステムコントローラを備えたことを特徴とする光デ
ィスク記録再生装置。
【請求項３】
前記光ディスクはＤＶＤ−ＲＷであり、前記全領域消去方法はフル・ブランク消去方法
であり、前記必要最小限消去方法はミニマリー・ブランク消去方法であり、また、前記追
記可能な記録方式はインクリメンタル・レコーディング方式であることを特徴とする請求
項２に記載の光ディスク記録再生装置。
【請求項４】
前記システムコントローラは、ＤＶＤ−ＲＷの光ディスクに対して必要最小限の領域の
みを消去するミニマリー・ブランク消去方法で消去を行う領域に、新たに一定のデータ領
域を加えて消去するデータ領域消去手段と、記録管理領域に当該光ディスクの全領域を消
去するフル・ブランク消去方法によるフル・ブランク状態を示すフル・ブランク状態デー
タを設定するフル・ブランク状態設定手段と、前記記録管理領域の状態データに基づいて
当該光ディスクのディスク状態が前記フル・ブランク消去方法によるフル・ブランク状態
であるか、前記ミニマリー・ブランク消去方法によるミニマリー・ブランク状態であるか
を判定するブランク状態判定手段と、このブランク状態判定手段がフル・ブランク状態で
あると判定した場合に、追記可能なインクリメンタル・レコーディング方式による記録を
可能にする記録可能手段とを有することを特徴とする請求項２に記載の光ディスク記録再
生装置。
【発明の詳細な説明】
【技術分野】
【０００１】
本発明は、光ディスクに対して情報を記録したり再生したりする光ディスク記録再生装
置に関し、特に、記録消去可能な光ディスクであるＤＶＤ−ＲＷに対する消去処理に関す
る。
【背景技術】
【０００２】
通常、一度データが記録されたＤＶＤ−ＲＷの光ディスクのデータを消去する方法とし
ては、光ディスクにおける全領域を消去するフル・ブランク（Full Blank）消去方法と、
必要最小限の領域のみを消去するミニマリー・ブランク（Minimally Blank）消去方法と
が有り、これらのブランク消去方法はＡＴＡＰＩ規格で規定されている。ミニマリー・ブ
ランク消去方法で消去された光ディスクでは、追記不可能なディスク・アット・ワンス（
Disc At Once）記録方式のみ使用可能であり、追記可能なインクリメンタル・レコーディ
ング（Incremental Recording）方式を使用するためにはフル・ブランク消去方法により
全領域を消去しなければならない。
【特許文献１】特開２００１−２８３４３８号公報
【発明の開示】
【発明が解決しようとする課題】
【０００３】
このような規格で消去および記録が行われるＤＶＤ−ＲＷの光ディスクに対して情報を
記録したり再生したりする従来の光ディスク記録再生装置では、ＤＶＤ−ＲＷの光ディス
クに対してミニマリー・ブランク消去方法により必要最小限の領域のみを消去するのに例
えば約１分かかるのに対し、フル・ブランク消去方法により全領域を消去するには例えば
約１．５時間必要になる。ミニマリー・ブランク消去方法により消去された光ディスクで
は、規格上は追記不可能なディスク・アット・ワンス記録方式のみにより記録可能になる
。なお、特許文献１の従来技術では、ＤＶＤ−ＲＷの光ディスクに対する処理は開示され
ていない。
【０００４】
したがって、従来の光ディスク記録再生装置では、ＤＶＤ−ＲＷの光ディスクのデータ
を消去した後、追記可能になるようにするためには、フル・ブランク消去方法により全領
域を消去しなければならないので、消去時間が多くかかり、追記可能な光ディスクを作成
するのに多くの時間が必要になるという課題があった。
【０００５】
本発明は、上記のような課題を解決するためになされたもので、記録消去可能なＤＶＤ
−ＲＷの光ディスクのデータを短時間で消去できるようにすることにより、追記可能な光
ディスクを短時間で作成できる光ディスク記録再生装置を提供することを目的とする。
【課題を解決するための手段】
【０００６】
上記目的を達成するために、請求項１の発明は、光ディスクに対して情報を記録したり
再生したりする光ディスク記録再生装置において、ＤＶＤ−ＲＷの光ディスクに対して必
要最小限の領域のみを消去するミニマリー・ブランク消去方法で消去を行う領域に、新た
に一定のデータ領域を加えて消去するデータ領域消去手段と、記録管理領域に当該光ディ
スクの全領域を消去するフル・ブランク消去方法によるフル・ブランク状態を示すフル・
ブランク状態データを設定するフル・ブランク状態設定手段と、前記記録管理領域の状態
データに基づいて当該光ディスクのディスク状態が前記フル・ブランク消去方法によるフ
ル・ブランク状態であるか、前記ミニマリー・ブランク消去方法によるミニマリー・ブラ
ンク状態であるかを判定するブランク状態判定手段と、このブランク状態判定手段がフル
・ブランク状態であると判定した場合に、追記可能なインクリメンタル・レコーディング
方式による記録を可能にする記録可能手段とを有するシステムコントローラを備えたこと
を特徴とする光ディスク記録再生装置を提供する。
【０００７】
この構成において、インクリメンタル・レコーディング方式による記録を行うのに、必
要最小限の領域のみを消去し、あたかもフル・ブランク消去方法による消去を擬似的に行
うため、次のような処理を行う。データ領域消去手段は、ＤＶＤ−ＲＷの光ディスクに対
してミニマリー・ブランク消去方法で消去を行う。フル・ブランク状態設定手段は、消去
を行う領域に、新たに一定のデータ領域を加えて消去し、記録管理領域に当該光ディスク
がフル・ブランク消去方法によるフル・ブランク状態を示す状態データを設定する。ブラ
ンク状態判定手段は、記録管理領域の状態データに基づいて、当該光ディスクがフル・ブ
ランク消去方法によるフル・ブランク状態であるか、ミニマリー・ブランク消去方法によ
るミニマリー・ブランク状態であるかを判定する。記録可能手段は、ブランク状態判定手
段がフル・ブランク状態であると判定した場合に、インクリメンタル・レコーディング方
式による記録を可能にする。
【０００８】
この構成によれば、インクリメンタル・レコーディング方式による記録を行うのに、必
要最小限の領域のみを消去し、あたかもフル・ブランク消去方法による消去を擬似的に行
うので、記録消去可能なＤＶＤ−ＲＷの光ディスクのデータを短時間で消去できるように
なり、追記可能な光ディスクを短時間で作成できる。
【０００９】
請求項２の発明は、光ディスクに対して情報を記録したり再生したりする光ディスク記
録再生装置において、光ディスクに対して必要最小限の領域のみを消去する必要最小限消
去方法で消去を行う領域に、新たに一定のデータ領域を加えて消去し、記録管理領域に当
該光ディスクの全領域を消去する全領域消去方法によるディスク状態を示す状態データを
設定し、前記状態データに基づいて前記全領域消去方法によるディスク状態であると判定
した場合に追記可能な記録方式による記録を可能にするシステムコントローラを備えたこ
とを特徴とする光ディスク記録再生装置を提供する。
【００１０】
この構成において、追記可能な記録方式による記録を行うのに、必要最小限の領域のみ
を消去し、あたかも全領域消去方法による消去を擬似的に行うため、次の処理を行う。シ
ステムコントローラは、光ディスクに対して必要最小限消去方法で消去を行う領域に、新
たに一定のデータ領域を加えて消去し、記録管理領域に当該光ディスクのディスク状態が
全領域消去方法による状態を示す状態データを設定し、前記状態データに基づいて全領域
消去方法によるディスク状態であると判定した場合に追記可能な記録方式による記録を可
能にする。
【００１１】
この構成によれば、追記可能な記録方式による記録を行うのに、必要最小限の領域のみ
を消去し、あたかも全領域消去方法による消去を擬似的に行うことができ、これにより、
記録消去可能な光ディスクのデータを短時間で消去できるようになり、追記可能な光ディ
スクを短時間で作成できる。
【００１２】
請求項３の発明では、請求項２の発明において光ディスクはＤＶＤ−ＲＷであり、全領
域消去方法はフル・ブランク消去方法であり、必要最小限消去方法はミニマリー・ブラン
ク消去方法であり、また、追記可能な記録方式はインクリメンタル・レコーディング方式
であるので、ＤＶＤ−ＲＷの光ディスクは、ＡＴＡＰＩ規格で規定されている消去方法で
データを消去でき、また、データを記録できる。
【００１３】
請求項４の発明では、請求項２の発明においてシステムコントローラは、システムコン
トローラは、ＤＶＤ−ＲＷの光ディスクに対して必要最小限の領域のみを消去するミニマ
リー・ブランク消去方法で消去を行う領域に、新たに一定のデータ領域を加えて消去する
データ領域消去手段と、記録管理領域に当該光ディスクの全領域を消去するフル・ブラン
ク消去方法によるフル・ブランク状態を示すフル・ブランク状態データを設定するフル・
ブランク状態設定手段と、前記記録管理領域の状態データに基づいて当該光ディスクのデ
ィスク状態が前記フル・ブランク消去方法によるフル・ブランク状態であるか、前記ミニ
マリー・ブランク消去方法によるミニマリー・ブランク状態であるかを判定するブランク
状態判定手段と、このブランク状態判定手段がフル・ブランク状態であると判定した場合
に、追記可能なインクリメンタル・レコーディング方式による記録を可能にする記録可能
手段とを有するので、インクリメンタル・レコーディング方式による記録を行うのに、必
要最小限の領域のみを消去し、あたかもフル・ブランク消去方法による消去を擬似的に行
うことができ、これにより、記録消去可能なＤＶＤ−ＲＷの光ディスクのデータを短時間
で消去することが可能になる。
【発明の効果】
【００１４】
以上のように本発明によれば、ＤＶＤ−ＲＷの光ディスクに対して必要最小限の領域の
みを消去するミニマリー・ブランク消去方法で消去を行う領域に、新たに一定のデータ領
域を加えて消去するデータ領域消去手段と、記録管理領域に当該光ディスクの全領域を消
去するフル・ブランク消去方法によるフル・ブランク状態を示すフル・ブランク状態デー
タを設定するフル・ブランク状態設定手段と、前記記録管理領域の状態データに基づいて
当該光ディスクのディスク状態が前記フル・ブランク消去方法によるフル・ブランク状態
であるか、前記ミニマリー・ブランク消去方法によるミニマリー・ブランク状態であるか
を判定するブランク状態判定手段と、このブランク状態判定手段がフル・ブランク状態で
あると判定した場合に、追記可能なインクリメンタル・レコーディング方式による記録を
可能にする記録可能手段とを有するシステムコントローラを備えたので、インクリメンタ
ル・レコーディング方式による記録を行うのに、必要最小限の領域のみを消去し、あたか
もフル・ブランク消去方法による消去を擬似的に行うことができ、これにより、記録消去
可能なＤＶＤ−ＲＷの光ディスクのデータを短時間で消去できるようになり、追記可能な
光ディスクを短時間で作成できる。
【００１５】
また、本発明によれば、光ディスクに対して必要最小限の領域のみを消去する必要最小
限消去方法で消去を行う領域に、新たに一定のデータ領域を加えて消去し、記録管理領域
に当該光ディスクの全領域を消去する全領域消去方法によるディスク状態を示す状態デー
タを設定し、前記状態データに基づいて前記全領域消去方法によるディスク状態であると
判定した場合に追記可能な記録方式による記録を可能にするシステムコントローラを備え
たので、追記可能な記録方式による記録を行うのに、必要最小限の領域のみを消去し、あ
たかも全領域消去方法による消去を擬似的に行うことができ、これにより、記録消去可能
な光ディスクのデータを短時間で消去できるようになり、追記可能な光ディスクを短時間
で作成できる。
【発明を実施するための最良の形態】
【００１６】
以下、添付図面を参照しつつ、本発明の実施の形態について説明する。図１は本発明の
一実施形態に係る光ディスク記録再生装置の構成を示すブロック図である。
【００１７】
この光ディスク記録再生装置は、光ディスク１を回転させるスピンドルモータ５と、光
ディスク１に記録された情報を再生するためのレーザ光を出射すると共に光ディスク１か
らの反射光を受光する光ピックアップ２と、この光ピックアップ２を光ディスク１の半径
方向に移動させるためのスレッド３と、システムコントローラ２２の指示に応じてスピン
ドルモータ５およびスレッド３を駆動すると共に光ピックアップ２に内蔵された対物レン
ズ（図示せず）を動かすことによりレーザ光の焦点位置を光ディスク１の記録面に対して
垂直方向および水平方向に移動させる制御を行うサーボ制御部４とを備えている。
【００１８】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００１９】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２０】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２１】
また、この光ディスク記録再生装置は、システムコントローラ２２に対して、再生指示
を与えるための再生キーや、再生停止を指示するための停止キーなどの各種操作キーを有
する操作部２１と、装置全体を制御する前記システムコントローラ２２とを備えている。
なお、操作部２１は、リモートコントローラであっても良いし、装置本体の操作パネルに
設けられた操作部であっても良い。
【００２２】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４とを備えている。
【００２３】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２４】
システムコントローラ２２には、本実施形態の特徴とする、データ領域消去手段２２１
とフル・ブランク状態設定手段２２２とブランク状態判定手段２２３と記録可能手段２２
４とが備えられている。データ領域消去手段２２１は、ＤＶＤ−ＲＷの光ディスク１に対
してミニマリー・ブランク消去方法で消去を行う領域に、新たに一定のデータ領域を加え
て消去する。フル・ブランク状態設定手段２２２は、記録管理領域（図２中のＲＭＡ）に
、当該光ディスク１のディスク状態がフル・ブランク消去方法によるフル・ブランク状態
であることを示す状態データを設定する。ブランク状態判定手段２２３は、前記記録管理
領域の状態データに基づいて当該光ディスク１のディスク状態がフル・ブランク消去方法
によるフル・ブランク状態であるか、ミニマリー・ブランク消去方法によるミニマリー・
ブランク状態であるかを判定する。記録可能手段２２４は、ブランク状態判定手段２２３
がフル・ブランク状態であると判定した場合に、インクリメンタル・レコーディング方式
による記録を可能にする。
【００２５】
図２は本実施形態における消去処理を説明するための光ディスクのエリアマップである
。図３は本実施形態における消去処理を説明するためのフローチャートである。図４は通
常のフル・ブランク消去方法による消去処理を説明するための光ディスクのエリアマップ
である。図５は通常のミニマリー・ブランク消去方法による消去処理を説明するための光
ディスクのエリアマップである。
【００２６】
本実施形態の消去処理を説明する前に図４を参照して通常のフル・ブランク消去方法に
よる消去処理を説明する。図４（ａ）において、光ディスク１には、レーザ光の記録パワ
ーを最適化するための試し書きをするＰＣＡ（Power Calibration Area）３１、記録管理
データ（状態データ）を格納する記録管理領域としてのＲＭＡ（Recording Management A
rea）３２、リードインエリア３３、およびデータエリア３４が設けられている。前記Ｒ
ＭＡ３２は、図４（ｂ）に示すように、ＲＭＡリードインエリア３２１、ＲＭＤ（Record
ing Management Data）ブロック３２２，３２３，３２４，３２５，３２６，３２７，３
２８，３２９などを有している。ＲＭＤブロック３２２，３２３，３２４，３２５，３２
６，３２７には光ディスク１の状態を示す記録管理データが格納されている。
【００２７】
図４（ｂ）では、ＲＭＤブロック３２８，３２９および、それ以降の記録管理データを
消去することを示している。図４（ｃ）ではリードインエリア３３のデータを消去するこ
とを示す。図４（ｄ）ではデータエリア３４全域のデータを消去することを示している。
図４（ｄ）におけるＲＭＡ３２には当該光ディスク１がフル・ブランク消去方法により消
去された光ディスクであることを示す記録管理データ（状態データ）が設定される。即ち
、フル・ブランク消去方法により消去された光ディスクを表わす値がディスクステータス
に設定される。
【００２８】
したがって、通常のフル・ブランク消去方法による消去処理では、ＲＭＤブロック３２
８，３２９および、それ以降の記録管理データを消去し、次に、リードインエリア３３を
消去し、この後、データエリア３４の全域を消去する。
【００２９】
次に、図５を参照して通常のミニマリー・ブランク消去方法による消去処理を説明する
。図５（ａ）において、光ディスク１には、レーザ光の記録パワーを最適化するための試
し書きをするＰＣＡ３１、記録管理データ（状態データ）を格納する記録管理領域として
のＲＭＡ３２、リードインエリア３３、およびデータエリア３４が設けられている。前記
ＲＭＡ３２は、図５（ｂ）に示すように、ＲＭＡリードインエリア３２１、ＲＭＤ（Reco
rding Management Data）ブロック３２２，３２３，３２４，３２５，３２６，３２７，
３２８，３２９などを有している。図５（ｃ）におけるＲＭＡ３２には、当該光ディスク
１がミニマリー・ブランク消去方法により消去された光ディスクであることを示す記録管
理データ（状態データ）が設定される。即ち、ミニマリー・ブランク消去方法により消去
された光ディスクを表わす値がディスクステータスに設定される。
【００３０】
ＲＭＤブロック３２２，３２３，３２４，３２５，３２６，３２７には光ディスク１の
状態を示す記録管理データが格納されている。図５（ｂ）では、ＲＭＤブロック３２８，
３２９および、それ以降の記録管理データを消去することを示している。図５（ｃ）では
リードインエリア３３を消去することを示している。このミニマリー・ブランク消去方法
による消去では、データエリア３４の前まで消去する。
【００３１】
このようなミニマリー・ブランク消去方法により消去された光ディスクでは、追記不可
能なディスク・アット・ワンス方式の記録方式のみ使用可能であり、追記可能なインクリ
メンタル・レコーディング方式を使用するためには、フル・ブランク消去方法による消去
を行わなければならない。
【００３２】
次に、図２を参照して本実施形態の消去処理について説明する。図２（ａ）において、
光ディスク１には、レーザ光の記録パワーを最適化するための試し書きをするＰＣＡ３１
、記録管理データを格納する記録管理領域としてのＲＭＡ３２、リードインエリア３３、
およびデータエリア３４が設けられている。前記ＲＭＡ３２は、図２（ｂ）に示すように
、ＲＭＡリードインエリア３２１、ＲＭＤブロック３２２，３２３，３２４，３２５，３
２６，３２７，３２８，３２９などを有している。ＲＭＤブロック３２２，３２３，３２
４，３２５，３２６，３２７には光ディスク１の状態を示す記録管理データ（状態データ
）が格納されている。
【００３３】
図２（ｂ）では、ＲＭＤブロック３２８，３２９および、それ以降の記録管理データを
消去することを示している。図２（ｃ）ではリードインエリア３３を消去することを示し
ている。図２（ｄ）では、ミニマリー・ブランク消去方法により消去を行う領域（ＲＭＤ
ブロック３２８，３２９等とリードインエリア３３）に、新たに所定の領域３５を加えて
消去することを示している。所定の領域３５は、例えば、消去時間（３０秒など）に相当
する区間の領域で設定される。
【００３４】
次に、本実施形態による消去処理を図３に示すフローチャートも参照して説明する。シ
ステムコントローラ２２は、ユーザからの操作によりフル・ブランク要求があると（ステ
ップＳ１）、システムコントローラ２２のデータ領域消去手段２２１は、ＲＭＤブロック
３２８，３２９の記録管理データおよび、それ以降のＲＭＤブロックの記録管理データを
消去し、更に、リードインエリア３３を消去する（ステップＳ２）。次に、データ領域消
去手段２２１は、ユーザデータ領域（データエリア３４）を指定領域（一定領域３５）の
み消去する。
【００３５】
なお、以前のデータを消去した後、新たに書き込まれるデータはデータエリア３４上の
一定領域３５に書き込まれ、更に、そのデータが一定領域３５に収まらない場合は、一定
領域３５の次の領域に上書きされる。そして、そのデータと次のデータとの境目が分かる
ように、前記上書きされた後のデータエリア３４上の一定領域を同じように消去する。
【００３６】
次に、ＲＭＤのディスク状態をフル・ブランクのディスクに設定する（ステップＳ４）
。即ち、フル・ブランク状態設定手段２２２は、記録管理領域であるＲＭＡのＲＭＤブロ
ックに、当該光ディスク１がフル・ブランク消去方法によるフル・ブランク状態を示すフ
ル・ブランク状態データを設定する。そして、このフル・ブランクに関する処理が終了す
る（ステップＳ５）。
【００３７】
この後、システムコントローラ２２のブランク状態判定手段２２３は、ＲＭＡのＲＭＤ
ブロックの状態データに基づいて当該光ディスクが前記フル・ブランク消去方法によるフ
ル・ブランク状態であるか、前記ミニマリー・ブランク消去方法によるミニマリー・ブラ
ンク状態であるかを判定する。そして、記録可能手段２２４は、ブランク状態判定手段２
２３がフル・ブランク状態であると判定した場合にインクリメンタル・レコーディング方
式による記録を可能にする。
【００３８】
以上説明したように本実施形態によれば、インクリメンタル・レコーディング方式によ
る記録を行うのに、必要最小限の領域のみを消去し、あたかもフル・ブランク消去方法に
よる消去を擬似的に行うので、記録消去可能なＤＶＤ−ＲＷの光ディスクのデータを短時
間で消去できるようになり、追記可能な光ディスクを短時間で作成できる。
【図面の簡単な説明】
【００３９】
【図１】本発明の一実施形態に係る光ディスク記録再生装置の構成を示すブロック図である。
【図２】前記実施形態における消去処理を説明するための光ディスクのエリアマップである。
【図３】前記実施形態における消去処理を説明するためのフローチャートである。
【図４】通常のフル・ブランク消去方法による消去処理を説明するための光ディスクのエリアマップである。
【図５】通常のミニマリー・ブランク消去方法による消去処理を説明するための光ディスクのエリアマップである。
【符号の説明】
【００４０】
１    光ディスク
２２    システムコントローラ
２２１    データ領域消去手段
２２２    フル・ブランク状態設定手段
２２３    ブランク状態判定手段
２２４    記録可能手段
【図１】
2005122849.tif 000003
【図２】
2005122849.tif 000004
【図３】
2005122849.tif 000005
【図４】
2005122849.tif 000006
【図５】
2005122849.tif 000007